(57)【特許請求の範囲】
【請求項１】
戸パネル（１）が開口部（２）の上壁に固定したガイドレール（３）でランナー（４）を介して開閉可能に支持されており、戸パネル（１）とガイドレール（３）の走行レール部（１５）との間に、戸パネル（１）を所定位置でロック保持するロック装置が設けられており、
ロック装置は、ガイドレール（３）の側に設けられて、走行レール部（１５）の前後いずれか一方に配置される一方向ストッパー（２０）と、戸パネル（１）の側に設けられるロック体（２１）と、ロック体（２１）を待機姿勢とロック姿勢とに切換える切換構造とを含み、
一方向ストッパー（２０）は、ガイドレール（３）に装着したホルダー（２２）で支軸（２３）を介して上方側の解除位置と下方側のストップ位置との間で上下揺動可能に支持されるストッパー本体（２４）を備えており、常態におけるストッパー本体（２４）がストップ位置へ向かって下降付勢されており、
ロック体（２１）は、戸パネル（１）の前後縁から前後方向へ突出した姿勢となるロック姿勢と、戸パネル（１）の前後縁から非突出の姿勢となる待機姿勢との間で前後方向に出退移動可能に構成されており、ロック体（２１）を切換構造でロック姿勢に切換えたとき、戸パネル（１）の前後縁から突出するロック体（２１）の一部は、ストップ位置にあるストッパー本体（２４）と、戸パネル（１）の移動方向において互いに重なる位置にあり、
ロック体（２１）を切換構造でロック姿勢に切換えた状態において、ロック体（２１）の一部がストッパー本体（２４）で互いに交差する状態で受け止められて、戸パネル（１）が所定位置にロック保持されることを特徴とする戸パネルのロック装置。
【請求項２】
ロック体（２１）の上端に、ストッパー本体（２４）で受止められるロックピース（３４）が設けられており、
ロック体（２１）は、戸パネル（１）に装着したガイドケース（３５）で前後方向へスライド自在に案内されており、
ロック体（２１）を切換構造でロック姿勢に切換えた状態において、走行レール部（１５）の前後いずれか一方へ突出したロックピース（３４）がストッパー本体（２４）で受止められる請求項１に記載の戸パネルのロック装置。
【請求項３】
ストッパー本体（２４）の揺動先端にロック体（２１）を受止めるストッパー面（２７）が形成され、ストッパー本体（２４）の下面に支軸（２３）の側へ向かって上り傾斜する通過ガイド面（２８）が形成されており、
ロック体（２１）をストッパー本体（２４）で受止めた状態において、ストッパー面（２７）とロック体（２１）の一部とが十文字状に交差している請求項１または２に記載の戸パネルのロック装置。
【請求項４】
切換構造が、戸パネル（１）に組付けられる操作体（１０）と、操作体（１０）で上下にスライド操作される切換えロッド（４８）と、切換えロッド（４８）の上下スライド動作をロック体（２１）の往復スライド動作に変換する動作変換構造とを含み、
動作変換構造が、ロック体（２１）を前後スライド自在に案内するガイドケース（３５）と、切換えロッド（４８）の上部に固定した切換えピン（８０）と、ガイドケース（３５）に設けられて切換えピン（８０）を上下動のみ可能に案内するガイド溝（４３）と、ロック体（２１）に設けられて切換えピン（８０）の上下動作をロック体（２１）の前後方向のスライド動作に変換するカム溝（３６）とで構成してある請求項１、２または３のいずれかひとつに記載の戸パネルのロック装置。
【請求項５】
操作体（１０）と切換えロッド（４８）との間に、ロック体（２１）が待機姿勢とロック姿勢に切換わった状態において、操作体（１０）および切換えロッド（４８）を位置保持するクリック機構が配置されており、
クリック機構が、一対のクリック腕（５９）を備えたクリック軸（５４）と、クリック軸（５４）を軸支する軸受部（６６）を備えたクリックケース（５５）とを備えており、
クリックケース（５５）には、クリック腕（５９）に対応する複数のクリック凹部（６７）が形成されており、
クリック軸（５４）の下端が操作体（１０）に連結され、クリック軸（５４）の上端が切換えロッド（４８）に連結してある請求項４に記載の戸パネルのロック装置。
【請求項６】
クリック軸（５４）と切換えロッド（４８）とが継手（８６）を介して相対回転自在に連結されており、
上下長さが異なる複数種の切換えロッド（４８）を、継手（８６）を介してクリック軸（５４）と連結することにより、切換えロッド（４８）を除くロック装置の構成部品を、上下寸法が異なる戸パネル（１）に共通して適用できる請求項５に記載の戸パネルのロック装置。
【請求項７】
戸パネル（１）が、アウトセット構造のガイドレール（３）でランナー（４）を介してスライド開閉自在に支持されており、
ガイドレール（３）に、戸パネル（１）のランナー（４）を移行案内する走行レール部（１５）と、戸パネル（１）を開口部（２）の外縁壁から所定距離だけ離れた位置に位置させるためのスペーサー部（１６）とが、前後に隣接する状態で設けられており、
一方向ストッパー（２０）を収容するストッパーレール部（１７）が、前記スペーサー部（１６）に配置してある請求項１から６のいずれかひとつに記載の戸パネルのロック装置。
【発明の詳細な説明】
【技術分野】
【０００１】
本発明は、戸パネルを開放位置、閉止位置、あるいは任意の開放途中位置において移動不能にロック保持するための戸パネルのロック装置に関し、なかでも、上下動するロッドを伝動体にして戸パネルをガイドレールにロック保持するロック装置に関する。
【背景技術】
【０００２】
例えば、アウトセット型の引戸においては、通常の引戸における開口枠が設けられないため、戸パネル用のロック装置を戸パネルとガイドレールとの間に設けることが多い。この種のロック装置は例えば特許文献１に見ることができ、そこでは、サムターンを回動操作することによりデッドボルト（被ロック体）を戸パネルの上端から出退させ、上方に進出したデッドボルトをガイドレールに固定した係合部材で受止めて、戸パネルを開放位置と閉止位置において開閉不能にロック保持している。係合部材は、断面がクランク状に折曲げられた長尺のプレス金具からなり、その板壁がデッドボルトの移行軌跡と十文字状に交差する状態でガイドレールに固定してある。
【０００３】
特許文献２の扉開閉装置においては、施錠摘みを押上げ操作することによりシャフト体を戸パネルの上方へ移動させ、その上端に設けたラッチ（被ロック体）をガイドレールに固定したラッチ嵌合部（係合部材）に係合して、戸パネルを閉止位置において開放不能にロック保持している。特許文献３の被覆装置においては、操作レバー揺動操作すると、ロッド棒が戸パネルの上端および下端から突出して、その端部に固定した押圧キャップ（被ロック体）がガイドレールに圧接することで戸パネルをロック保持している。また、ガイドレールに固定した係止部材（係合部材）で押圧キャップを受止めて、戸パネルを移動不能にロック保持している。
【０００４】
本発明のロック装置においては、戸パネルの側に設けたロックピース（被ロック体）を、ストッパー体（係合部材）で受止めて、戸パネルを所定位置においてロック保持するが、この種のストッパー体を備えているロック装置は、特許文献４に公知である。そこでは、ガイドレールの開放端寄りと閉止端寄りのそれぞれにストッパーを設けている。ロックピースは、戸パネルの上端面に固定したカバーでスライド自在に案内されており、戸パネルが全開放（または全閉止）位置に達する直前に、ロックピースがストッパーの下面をくぐり抜けたのち、ロックピースの突端がストッパーで受止められる。このように、ロックピースが移動するとき、開閉いずれか一方へのロックピースの通過を許すストッパー体を、本発明では一方向ストッパーと言う。
【０００５】
特許文献４における戸パネルの側端には、ロックピースをスライド操作するためのレバーハンドルが設けてあり、このハンドルをばねに抗して垂直軸回りに回動操作することにより、ストッパーをロックピースで押上げ操作して、ロック状態を解除することができる。レバーハンドルはアルミニウム製の条材からなり、その上端にロックピースの下面に設けた連結ピンが差込み連結されて、板ばねで待機位置へ向かって回動付勢してある。なお、戸パネルは戸車で支持されて、床面側のガイドレールに沿って開閉する構造になっている。
【先行技術文献】
【特許文献】
【０００６】
【特許文献１】特開２０１０−００７２３９号公報（段落番号００１８、図３、図４）
【特許文献２】特開２００２−０４７８４９号公報（段落番号００９４、図１）
【特許文献３】特開２００９−０６２７３５号公報（段落番号００２４、図８）
【特許文献４】特許第４６４３４２２号公報（段落番号００４９、図５）
【発明の概要】
【発明が解決しようとする課題】
【０００７】
特許文献１〜３のロック装置は、いずれもガイドレールの内面の上壁、あるいはガイドレールの下面に固定した係合部材で被ロック体を受止める。そのため、被ロック体をロック解除姿勢に切換えない限りは、戸パネルを開放位置や閉止位置において確実にロック保持できる。しかし、ガイドレールの内面の上壁、あるいはガイドレールの下面に係合部材を固定する必要があるため、ガイドレールの上下寸法が大きくなり、あるいは、ガイドレールと係合部材の占める空間の上下寸法が大きくなるのを避けられない。さらに、使用者の勘違いで、被ロック体をロック姿勢に切換えた状態のままで、戸パネルを開放途中位置から開閉するとき、被ロック体が係合部材に衝突して変形するおそれがある。
【０００８】
その点、特許文献４のロック装置は、ストッパー体が一方向ストッパーとして構成してあるので、ロックピースをロック姿勢に切換えた状態のままで、戸パネルを開放途中位置から開閉する場合であっても、ロックピースがストッパー体に衝突して変形することはない。しかし、ロックピースとストッパー体は、それぞれの端部に設けた斜面どうしが接触する状態でロック状態を保持しており、しかも、ロックピースをストッパー体へ向かってスライドさせてロック状態を解除する構造になっているので、充分にロック機能を発揮できない点に問題がある。ロックされた状態の戸パネルを大きな力で解放操作し、あるいは閉止操作すると、レバーハンドルを操作するまでもなく、ストッパー体が簡単にロック解除状態に切換わってしまうからである。
【０００９】
本発明の目的は、一方向ストッパーによるロックピースの移動規制機能を強化して、戸パネルを開放位置や閉止位置等において確実にロック保持でき、しかも、ガイドレールの上下寸法が大きくなるのを防止できる戸パネルのロック装置を提供することにある。
【課題を解決するための手段】
【００１０】
本発明における戸パネル１は、開口部２の上壁に固定したガイドレール３でランナー４を介して開閉可能に支持されており、戸パネル１とガイドレール３の走行レール部１５との間に、戸パネル１を所定位置でロック保持するロック装置が設けてある。ロック装置は、ガイドレール３の側に設けられて、走行レール部１５の前後いずれか一方に配置される一方向ストッパー２０と、戸パネル１の側に設けられるロック体２１と、ロック体２１を待機姿勢とロック姿勢とに切換える切換構造とを含む。一方向ストッパー２０は、ガイドレール３に装着したホルダー２２で支軸２３を介して上方側の解除位置と下方側のストップ位置との間で上下揺動可能に支持されるストッパー本体２４を備えており、常態におけるストッパー本体２４がストップ位置へ向かって下降付勢されている。ロック体２１は、戸パネル１の前後縁から前後方向へ突出した姿勢となるロック姿勢と、戸パネル１の前後縁から非突出の姿勢となる待機姿勢との間で前後方向に出退移動可能に構成されており、ロック体２１を切換構造でロック姿勢に切換えたとき、戸パネル１の前後縁から突出するロック体２１の一部は、ストップ位置にあるストッパー本体２４と、戸パネル１の移動方向において互いに重なる位置にある。ロック体２１を切換構造でロック姿勢に切換えた状態において、ロック体２１の一部がストッパー本体２４で互いに交差する状態で受け止められて、戸パネル１が所定位置にロック保持されることを特徴とする。
【００１１】
ロック体２１の上端に、ストッパー本体２４で受止められるロックピース３４を設ける。ロック体２１は、戸パネル１に装着したガイドケース３５で前後方向へスライド自在に案内する。ロック体２１を切換構造でロック姿勢に切換えた状態において、走行レール部１５の前後いずれか一方へ突出したロックピース３４をストッパー本体２４で受止める。
【００１２】
ストッパー本体２４の揺動先端にロック体２１を受止めるストッパー面２７を形成し、ストッパー本体２４の下面に支軸２３の側へ向かって上り傾斜する通過ガイド面２８を形成する（図４参照）。ロック体２１をストッパー本体２４で受止めた状態においては、ストッパー面２７とロック体２１の一部とが十文字状に交差している。
【００１３】
切換構造は、戸パネル１に組付けられる操作体１０と、操作体１０で上下にスライド操作される切換えロッド４８と、切換えロッド４８の上下スライド動作をロック体２１の往復スライド動作に変換する動作変換構造とを含む。動作変換構造は、ロック体２１を前後スライド自在に案内するガイドケース３５と、切換えロッド４８の上部に固定した切換えピン８０と、ガイドケース３５に設けられて切換えピン８０を上下動のみ可能に案内するガイド溝４３と、ロック体２１に設けられて切換えピン８０の上下動作をロック体２１の前後方向のスライド動作に変換するカム溝３６とで構成する。
【００１４】
操作体１０と切換えロッド４８との間に、ロック体２１が待機姿勢とロック姿勢に切換わった状態において、操作体１０および切換えロッド４８を位置保持するクリック機構を配置する。クリック機構は、一対のクリック腕５９を備えたクリック軸５４と、クリック軸５４を軸支する軸受部６６を備えたクリックケース５５とを備えている。クリックケース５５には、クリック腕５９に対応する複数のクリック凹部６７を形成する。クリック軸５４の下端は操作体１０に連結し、クリック軸５４の上端は切換えロッド４８に連結する。
【００１５】
クリック軸５４と切換えロッド４８とは継手８６を介して相対回転自在に連結する。上下長さが異なる複数種の切換えロッド４８を、継手８６を介してクリック軸５４と連結することにより、切換えロッド４８を除くロック装置の構成部品を、上下寸法が異なる戸パネル１に共通して適用できるようにする。
【００１６】
戸パネル１は、アウトセット構造のガイドレール３でランナー４を介してスライド開閉自在に支持する。図３に示すように、ガイドレール３に、戸パネル１のランナー４を移行案内する走行レール部１５と、戸パネル１を開口部２の外縁壁から所定距離だけ離れた位置に位置させるためのスペーサー部１６とを、前後に隣接する状態で設ける。一方向ストッパー２０を収容するストッパーレール部１７をスペーサー部１６に配置する。
【発明の効果】
【００１７】
本発明においては、ガイドレール３に設けた一方向ストッパー２０と、戸パネル１に設けたロック体２１と、ロック体２１の姿勢を切換える切換構造などでロック装置を構成した。また、ロック体２１を切換構造でロック姿勢に切換えた状態では、走行レール部１５の前後いずれか一方へ突出したロック体２１の一部をストッパー本体２４で互いに交差する状態で受止めて、戸パネル１を所定位置にロック保持できるようにした。
【００１８】
上記のように、ロック体２１の一部をストッパー本体２４で交差する状態で受止めると、ロック体２１を待機姿勢に切換えない限りは、戸パネル１を移動不能にロック保持することができ、戸パネル１が大きな力で移動操作されたとしても、ロック装置のロック状態が解除されることはない。従って、従来のこの種のロック装置に比べて、一方向ストッパー２０によるロック体２１の移動規制機能を強化して、開放位置や閉止位置に移動させた戸パネル１をロック装置で確実にロック保持できる。また、一方向ストッパー２０を、走行レール部１５の前後いずれか一方に配置するので、ガイドレールの内面の上壁などに係合部材を固定する必要があった従来のロック装置に比べて、ガイドレール３の上下寸法が大きくなるのを解消して、戸パネル１のガイド構造をコンパクト化できる。
【００１９】
ロック体２１の上端にロックピース３４を設けると、ロック姿勢に切換えられたロックピース３４とストッパー本体２４とを、充分な余裕を含んだ状態で交差させることができる。従って、前後いずれかへ突出するときのロックピース３４の移動量に多少のばらつきがあった場合にも、ロック体２１をストッパー本体２４でロックピース３４を介して確実に受止めて、戸パネル１を的確にロック状態に保持できる。
【００２０】
ストッパー本体２４を自重でストップ姿勢に下降付勢する一方向ストッパー２０によれば、キックばねや板ばねなどの付勢体を使用する必要もなくストッパー本体２４をストップ位置に保持できるので、一方向ストッパー２０の構造を簡素化してその製造に要するコストを削減できる。また、ストッパー本体２４の揺動先端にストッパー面２７を形成するので、ストッパー本体２４の他の部分にストッパー面２７を形成する場合に比べて、ストッパー本体２４の形状および構造を簡素化できる。さらに、ストッパー本体２４の下面に、支軸２３の側へ向かって上り傾斜する通過ガイド面２８が形成してあると、ロックピース３４がストッパー本体２４の下面をくぐり抜ける動作を円滑に行える。通過ガイド面２８に接触したロックピース３４は、傾斜する通過ガイド面２８に対してくさび作用を発揮しながら、ストッパー本体２４の下面を殆ど抵抗のない状態でくぐり抜けることができるからである。
【００２１】
操作体１０と、切換えロッド４８と、切換えロッド４８の上下動をロック体２１の前後動作に変換する動作変換構造などで切換構造を構成すると、操作体１０の切換え動作を切換えロッド４８を介して動作変換構造に確実に伝動できる。また、切換えロッド４８の上下に動作変換構造と操作体１０を配置すればよいので、戸パネル１の内部における伝動構造を簡素化できる。さらに、切換えロッド４８に固定した切換えピン８０と、ガイドケース３５に設けたガイド溝４３と、ロック体２１に設けたカム溝３６で動作変換構造を構成すると、ロック体２１およびガイドケース３５を利用してカム溝３６およびガイド溝４３を形成できるので、動作変換構造の部品点数を減らして構造を簡素化できる。
【００２２】
操作体１０と切換えロッド４８との間にクリック機構を設けると、ロック体２１が待機姿勢とロック姿勢に切換えられた状態において、操作体１０および切換えロッド４８をクリック機構で移動不能に位置保持することができる。従って、戸パネル１の開閉途中に、意図せずにしてロック体２１が待機姿勢やロック姿勢に切換わってしまうのを確実に防止できる。クリック軸５４およびクリックケース５５でクリック機構を構成し、クリック軸５４を操作体１０および切換えロッド４８に連結すると、ロック装置自体がクリック機能を発揮して、操作体１０および切換えロッド４８を各切換え位置に位置保持できる。そのため、把手９の側にクリック機構が設けてあるか否かとは無関係に、ロック体２１を待機姿勢やロック姿勢に位置保持することができる。
【００２３】
クリック軸５４と切換えロッド４８を継手８６を介して相対回転自在に連結すると、切換えロッド４８および動作変換構造とロック体２１等の、戸パネル１に対する組付方向を前後逆向きにするだけで、戸パネル１の左右の勝手違いとは無関係に、ロック装置を共通して使用することができる。また、クリック軸５４と切換えロッド４８を継手８６を介して連結するロック装置によれば、上下長さが異なる複数種の切換えロッド４８を継手８６を介してクリック軸５４と連結することにより、ロック装置の上下長さを大小に変更することができる。これに伴い、切換えロッド４８を除くロック装置の構成部品を、上下寸法が異なる戸パネル１に共通して適用できることとなるので、ロック装置をより少ないコストで提供できる。
【００２４】
アウトセット構造のガイドレール３に、走行レール部１５とスペーサー部１６とを前後に隣接する状態で設け、スペーサー部１６にストッパーレール部１７を設けると、スペーサー部１６が占める空間を利用して一方向ストッパー２０を配置できる。また、スペーサー部１６を利用して一方向ストッパー２０を配置することにより、一方向ストッパー２０を備えたガイドレール３をコンパクト化して、ガイドレール３が占める空間をより小さくできる。さらに、ガイドレール３に、走行レール部１５とは別にスペーサー部１６を独立した区画として形成するので、開閉途中のランナー４が一方向ストッパー２０に接当緩衝するのを確実に防止できる。スペーサー部１６は、アウトセット型の引戸において、戸パネル１を開口部２の外縁壁から所定距離だけ離れた位置に位置させて、戸パネル１の開閉時に開口部２の外縁壁と戸パネル１とが互いに擦れあうのを避けるために設けてある。
【図面の簡単な説明】
【００２５】
【図１】本発明に係るロック装置の動作変換構造を示す縦断側面図である。
【図２】アウトセット型の戸パネルの正面図である。
【図３】図２におけるＡ−Ａ線断面図である。
【図４】ロック装置の一方向ストッパーとロック体の関係構造を示す正面図である。
【図５】切換構造を示す図２におけるＢ−Ｂ線断面図である。
【図６】動作変換構造の分解斜視図である。
【図７】図１におけるＣ−Ｃ線断面図である。
【図８】図７におけるＤ−Ｄ線断面図である。
【図９】把手を分離した状態の縦断側面図である。
【図１０】クリック機構の分解斜視図である。
【図１１】図５におけるＥ−Ｅ線断面図である。
【図１２】ロック体が待機保持された状態の動作変換構造の縦断側面図である。
【図１３】ロック体が一方向ストッパーをくぐり抜ける状態を示す縦断正面図である。
【図１４】ロック装置の組付け手順を示す分解正面図である。
【発明を実施するための形態】
【００２６】
（実施例）  図１ないし図１４は本発明に係るロック装置をアウトセット型の引戸に適用した実施例を示している。なお、本発明における前後、左右、上下とは、図２および図３に示す交差矢印と、各矢印の近傍に表記した前後、左右、上下の表示に従う。
【００２７】
図２において、戸パネル１は、開口部２の上壁に固定したアウトセット構造のガイドレール３でスライド開閉自在に移行案内されている。戸パネル１の左右の上隅には、ガイドレール３で走行案内されるランナー４が組付けてあり、戸パネル１の下面には床面に固定した振止めローラー５で案内される規制溝６が凹み形成してある。戸パネル１の開放端および閉止端に臨む床面には、それぞれ戸パネル１の移動を規制するストッパー７・８が固定してある。戸パネル１の閉じ端側の前後面には、それぞれ戸パネル１を開閉するための把手９が装着されており、前側の把手９に操作ノブ（操作体）１０が上下スライド可能に組付けてある。後側の把手９には、操作ノブ１０に連動して上下動する表示体１１が上下スライド可能に組付けてある（図５参照）。
【００２８】
図３に示すように、ガイドレール３は、壁面にビス１２で締結されるレール枠１３と、レール枠１３の上面および前面を覆うカバー枠１４とで構成してある。レール枠１３には、ランナー４を移行案内する走行レール部１５とスペーサー部１６とが、前後に隣接する状態で設けてある。アウトセット型の引戸においては、開閉時の戸パネル１が開口部２の外縁壁と擦れあうおそれがあり、こうした事態を防ぐために、走行レール部１５の締結面側にスペーサー部１６を設けて、戸パネル１を開口部２の外縁壁から所定距離だけ離れた位置に位置させるようにしている。
【００２９】
スペーサー部１６の前部にストッパーレール部１７を設けて、走行レール部１５とストッパーレール部１７とを前後に隣接させている。ストッパーレール部１７は、後述する一方向ストッパー２０のホルダー２２を収容するために設けてある。このように、スペーサー部１６が占める空間を利用して一方向ストッパー２０を配置すると、ガイドレール３の上下寸法が大きくなるのを避けながら、一方向ストッパー２０をガイドレール３に組むことができる。また、一方向ストッパー２０を備えたガイドレール３をコンパクト化して、ガイドレール３が占める空間をより小さくできる。
【００３０】
走行レール部１５の下部には、ランナー４のランナーローラー４ａを支持する前後一対のレール壁１５ａが設けてある。また、スペーサー部１６の上下にはビス１２用の締結座１６ａが設けられ、両締結座１６ａの間に走行レール部１５を支持する上下一対の支持壁１６ｂが一体に設けてある。ストッパーレール部１７の内面の前後壁にはリブ１７ａが対向する状態で突設してある。レール枠１３およびカバー枠１４はいずれもアルミニウム条材で形成してある。
【００３１】
戸パネル１を全閉止位置（所定位置）において開放不能に移動規制するために、戸パネル１とガイドレール３との間にロック装置を設けている。図４においてロック装置は、ガイドレール３の側に設けられる一方向ストッパー２０と、戸パネル１の側に設けられるロック体２１と、ロック体２１を前後に切換え操作する切換構造を備えている。一方向ストッパー２０は、走行レール部１５の前後いずれか一方、具体的には先のストッパーレール部１７に固定されるホルダー２２と、一端がホルダー２２で支軸２３を介して上下揺動可能に支持されるストッパー本体２４と、ストッパー本体２４の下降揺動限界を規定して、ストッパー本体２４のストップ位置を一定にする規制構造とで構成する。ストッパー本体２４は、重力を利用してストップ位置（図４に示す状態）に移動付勢してあり、常態において自重で下降揺動してストップ位置を位置保持できる。
【００３２】
ホルダー２２は上下面が開口する左右に長い枠体からなる。ホルダー２２をストッパーレール部１７に嵌込み、さらに枠部両端の下面側から挿通したビス２５を雌ねじ板２６にねじ込むことにより、ストッパーレール部１７の前後のリブ１７ａをホルダー２２と雌ねじ板２６とで挟持して、ホルダー２２をガイドレール３の任意位置に固定することができる。この実施例では、ホルダー２２を戸パネル１の閉止位置の近傍に固定している。
【００３３】
ストッパー本体２４は左右に長い板状体からなり、その一端を支軸２３で軸支することにより、ストッパー本体２４の揺動先端に設けたストッパー面２７がホルダー２２の下方へ突出するストップ位置と、ストップ位置より上方の解除位置とに上下揺動できる。ストッパー本体２４の下面には、ロック体２１のくぐり抜けを許すガイド面２８が、先のストッパー面２７の下端に連続する状態で、支軸２３へ向かって上り傾斜状に形成してある。規制構造は、ストッパー本体２４に固定したピン２９と、ホルダー２２の前後壁に形成されて、ピン２９の揺動範囲を規制する規制溝３０とで構成する。また、ストッパー本体２４の揺動先端の上縁に設けた突片３１と、ホルダー２２の内面に設けた段部３２とが予備の規制構造を構成している。
【００３４】
図６に示すように、ロック体２１は、左右壁３３と、左右両壁３３の上端同士をつなぐ平板状のロックピース３４とを一体に備えた、縦断面がコ字状のダイキャスト成形品からなり、戸パネル１の上面に埋設したガイドケース３５で前後スライド自在に案内してある。左右壁３３のそれぞれにはカム溝３６が形成され、各カム溝３６の上方にスライド片３７が突設してある。ロックピース３４は、左右壁３３の後縁より後方へ突出させてあって、ロック体２１が切換構造でロック姿勢に切換えられた状態においては、その突端がストッパーレール部１７の下方空間へ突出する。つまり、ストッパー本体２４がストップ位置に下降揺動し、さらにロック体２１がロック姿勢に切換えられた状態においては、図１に示すようにストッパー本体２４のストッパー面２７がロックピース３４の移行軌跡と十文字状に交差する。
【００３５】
ガイドケース３５は、上向きに開口する収容部３９を備えたガイド本体４０と、ガイド本体４０のフランジ壁４１に固定される左右一対の蓋体４２とで構成してあり、収容部３９を区画する左右壁のそれぞれに縦長のガイド溝４３が形成してある。このガイド溝４３は、後述する切換えピン８０を上下動自在に案内する。収容部３９は前後に長い長方形状に形成してあり、その内部に配置したロック体２１を前後スライドのみ可能に案内する。
【００３６】
収容部３９の開口縁の左右には、ロック体２１のスライド片３７を支持するガイド凹部４４が凹み形成してあり、収容部３９の底壁には後述する切換えロッド４８用の挿通穴４５が形成してある。蓋体４２の下面側には、先のガイド凹部４４に対応する押え凹部４６が形成してあり、蓋体４２をフランジ壁４１に固定した状態において、両凹部４４・４６が協同してスライド片３７の上下面を挟持して、ロック体２１の浮上がりを規制する（図１参照）。ロック体２１が組まれたガイドケース３５は、図７および図８に示すように、戸パネル１に形成した収容凹部４７に埋設され、戸パネル１にねじ込んだ２個のビス４９で固定される。なお、ガイドケース３５を戸パネル１の上面に埋設した状態において、蓋体４２の上面とロックピース３４の下面は、戸パネル１の上面と面一になっている。
【００３７】
図５において切換構造は、先の操作ノブ１０と、操作ノブ１０の上下スライド動作を受継ぐクリック機構と、金属管材で形成される切換えロッド４８と、切換えロッド４８の上下スライド動作をロック体２１の前後方向のスライド動作に変換する動作変換構造などで構成する。図９に示すように、操作ノブ１０は、下端に操作つまみ５０を有し、操作つまみ５０の上側に把手９の内面上部に延びる腕を設け、その内面に連結ボス５１が一体に形成してある。後側の把手９に設けた表示体１１には、連結ボス５１に係合される連結ピン５２が形成してある。
【００３８】
図１０に示すように、クリック機構は、クリック軸５４と、クリック軸５４を支持するクリックケース５５と、クリックケース５５の下部を戸パネル１に固定するケースホルダー５６などで構成する。クリック軸５４は、角軸状に形成される軸部５７と、軸部５７の下部に形成される長円枠状の逃げ枠部５８と、軸部５７の中途部の左右に形成される部分円弧状のクリック腕５９とを一体に備えている。軸部５７の上端には、フランジ状の連結片６０が張出してあり、逃げ枠部５８の下部には、先の連結ピン５２を係合するための連結穴６１が形成してある。図５に示すように、前後の把手９・９は、前側の把手９の内面に設けたねじボス６３に、後側の把手９の側からビス６２をねじ込んで締結するが、上側のビス６２およびねじボス６３との接当干渉を避けるために、逃げ枠部５８が設けてある。
【００３９】
クリックケース５５は、ケース本体６４と蓋体６５とで構成してあり、ケース本体６４に軸部５７をスライド案内する上下一対の軸受部６６と、クリック腕５９に対応する上下一対のクリック凹部６７と、逃げ枠部５８を収容するガイド凹部６８が形成してある。クリック凹部６７は、クリック腕５９に対応して部分円弧状に形成してある。ガイド凹部６８に臨むケース本体６４と蓋体６５の対向壁には、先のねじボス６３との接当干渉を防ぎ、さらに、操作ノブ１０および表示体１１の上下スライドを許す逃穴６９が長円状に形成してある。ケース本体６４と蓋体６５は、２個の位置決めピンで位置決めされた状態で接合され、２個のかしめピン７０で分離不能に締結される。ガイド凹部６８に臨むクリックケース５５の左右には、把手９に設けたボス７７と係合する凹部７１が凹み形成してある。
【００４０】
ケースホルダー５６は、内部に上下貫通状の支持穴７３が形成してある中空ケースからなり、半円状の上周面の下側に連続して左右一対の位置決め突起７４が設けてある。また、ケースの前後壁には先の逃穴６９と同じ趣旨の長円状の逃げ穴７５が形成され、逃げ穴７５の左右にボス７７と係合する位置決め穴７８が形成してある。ケースホルダー５６は、戸パネル１に前後貫通状に形成した取付穴７６に対して把手９と共に組付けられて、先の位置決め突起７４と、把手９の内面に設けた２個のボス７７とで、取付穴７６の上端に位置決め固定される（図１１参照）。この状態において、ボス７７が凹部７１と係合してクリックケース５５を同時に位置決めしている。
【００４１】
動作変換構造は、ガイドケース３５と、切換えロッド４８の上部に貫通状に固定した切換えピン８０と、ガイドケース３５に設けたガイド溝４３と、ロック体２１に設けたカム溝３６とで構成されていて、ロック体２１を後方のロック姿勢と、前方の待機姿勢とに切換え操作する。図１に示すように、カム溝３６は下側の溝端を構成する縦長の作動溝８１と、上側の溝端を構成する縦長の待機溝８２と、これら両者８１・８２を斜めに接続する主カム溝８３とで構成する。カム溝３６の上下長さとガイド溝４３の上下長さとは一致させてある。
【００４２】
操作ノブ１０が把手９の上部に位置している待機状態において、ロック体２１のロックピース３４は、図５および図１２に示すように戸パネル１の上端面に位置して待機姿勢を保持しており、切換えピン８０は待機溝８２の上端寄りに位置している。また、クリック軸５４のクリック腕５９は、図１１に示すように上側のクリック凹部６７に落込んで、ロック体２１、切換えロッド４８、およびクリック軸５４を待機姿勢に位置保持している。
【００４３】
上記の状態から、操作ノブ１０を押下げ操作すると、切換えロッド４８およびクリック軸５４が下向きに移動し、同時に切換えピン８０がガイド溝４３に案内されて下向きに移動する。その間に、切換えピン８０はロック体２１の待機溝８２から主カム溝８３へと移動し、主カム溝８３に押下げ力の後向きの分力を作用させて、図１に示すように、ロック体２１の全体を戸パネル１の後方へ移動させてロック姿勢に切換える。主カム溝８３の下端を通過した切換えピン８０は作動溝８１へ入込む。
【００４４】
作動溝８１および待機溝８２はそれぞれ縦長に形成してあって、その上下方向の有効長さは、切換えピン８０の直径より大きく設定してある。そのため、操作体１０、クリック機構、切換えロッド４８、および動作変換構造を組んだ場合に避けられない切換えピン８０の上下位置のばらつきを、作動溝８１および待機溝８２で吸収できることになる。このように、集積誤差に伴う切換えピン８０の上下位置のばらつきを、作動溝８１および待機溝８２において吸収できるようにすると、集積誤差によってロック体２１の姿勢の切換えが不十分になるなどの動作不良に陥るのを確実に防止して、ロック体２１の姿勢の切換えを的確に行うことができる。また、作動溝８１および待機溝８２が縦長に形成してあると、ロック体２１が前後スライドするとき、主カム溝８３がガイド溝４３の上下中途部に沿って前後に移動することになる。従って、切換えピン８０がガイド溝４３の上下端で受止められる前に、余裕を残した状態でロック体２１をロック姿勢と待機姿勢とに切換え操作することができる。
【００４５】
図５において、クリック軸５４と切換えロッド４８は継手８６を介して相対回転自在に連結してある。継手８６は、切換えロッド４８の下端に固定される第１継手８７と、クリック軸５４の上端に連結される第２継手８８で構成する。図１０に示すように第１継手８７は、切換えロッド４８が差込み係合される連結ボス８９と、連結ボス８９の下部に形成される軸部９０とを一体に備えた旋削品からなり、軸部９０の下端寄りに連結溝９１が周回状に形成してある。
【００４６】
切換えロッド４８の下端を連結ボス８９の内部に差込み、連結ボス８９にねじ込んだ止めねじ９２の先端を、切換えロッド４８の周面に押付けることにより、第１継手８７を切換えロッド４８に固定することができる。また、切換えロッド４８の第１継手８７に対する固定位置を上下に調整することにより、ガイドケース３５とクリックケース５５の上下間隔のばらつきを吸収することができる。
【００４７】
第２継手８８は、断面が半円状の一対の連結筒部９４を備えたプラスチック成形品からなり、両連結筒部９４の隣接部に薄肉のヒンジ部９５が設けてある。連結筒部９４の内面には、先の連結溝９１と係合するリブ９６が形成してあり、連結筒部９４の外周面には止具９７を差込み係合するための止具溝９８が周回状に形成してある。第１継手８７の連結溝９１をリブ９６に係合し、クリック軸５４の連結片６０が軸部９０の下側に隣接する状態で両連結筒部９４を接合し、止具溝９８に止具９７を差込み係合することにより、第１継手８７とクリック軸５４とを連結することができる。連結状態における第１継手８７とクリック軸５４とが相対回転するときに、連結片６０と軸部９０とが擦れあうのを防ぐために、連結片６０と軸部９０を連結筒部９４の内部において小さな上下隙間を介して隣接させている。
【００４８】
戸パネル１の上下寸法は、開口部２の開口高さに応じて大小に変更され、戸パネル１の上下寸法が異なるごとに適合したロック装置を用意する必要がある。こうした場合には、上下寸法が異なる戸パネル１に適合した切換えロッド４８を複数種用意しておき、あるいは長寸の切換えロッド４８を戸パネル１の上下寸法に合致して施工現場で切断することにより、切換えロッド４８を除くロック装置の構成部品を共通して使用することができる。また、クリック軸５４と切換えロッド４８とが継手８６を介して相対回転自在に連結してあるので、戸パネル１の開放方向が右勝手から左勝手に変わるような場合であっても、勝手違いとは無関係にロック装置を兼用できる。同様に、一方向ストッパー２０の配置位置が、ランナー４の走行軌跡の後側から前側に代わる場合にも、配置位置の違いとは無関係にロック装置を兼用できる。
【００４９】
図６に示すように、切換えロッド４８の上部には、同ロッド４８のがたつきを防止して、衝突音の発生を防ぐ発泡弾性体１０１が組付けてある。発泡弾性体１０１は、戸パネル１に設けたロッド挿通穴１０２の断面形状に合致して直方体状に形成してあり、切換えロッド４８に外嵌装着されて、その上下に固定したピン１０３で移動規制してある。
【００５０】
ロック装置は、戸パネル１に対して次のようにして組付ける。まず、ロック体２１とガイドケース３５と切換えロッド４８を組み立て、さらにクリックケース５５と一体化されたクリック軸５４を切換えロッド４８と継手８６を介して連結してユニット化しておく。次に、図１４に示すように、把手９の取付穴７６の上部にケースホルダー５６を嵌込み、その支持穴７３をロッド挿通穴１０２に臨ませる。この状態で、先のユニット化された組立体を収容凹部４７の側からロッド挿通穴１０２に差込み、図９に示すように、クリックケース５５の下部をケースホルダー５６の支持穴７３内に差込んで、クリックケース５５とケースホルダー５６を一体化する。さらに、取付穴７６の前後から把手９を組付けて、連結ピン５２をクリック軸５４の連結穴６１に連結し、前後の把手９をビス６２で締結する。最後に、ガイドケース３５をビス４９で戸パネル１に締結し、一方向ストッパー２０をストッパーレール部１７の所定位置に組付けることによりロック装置を完成する。
【００５１】
以上のように構成したロック装置によれば、戸パネル１を閉止端まで移動させたのち、操作ノブ１０を押下げ操作してロック体２１をロック姿勢に切換えることにより、ロック姿勢に切換えられた状態のロックピース３４の移行軌跡と、ストップ位置になっているストッパー本体２４のストッパー面２７とを十文字状に交差させることができる。従って、閉止端に位置している戸パネル１を開放操作したとしても、ロックピース３４をストッパー面２７で十文字状に受止めて、戸パネル１を開放不能にロック保持できる。また、ロックピース３４とストッパー面２７とが十文字状に交差した状態で、戸パネル１をロック保持するので、従来のロック装置に比べて、一方向ストッパー２０によるロックピース３４の移動規制機能を強化し、閉止位置に移動させた戸パネル１をロック装置でさらに確実にロック保持できる。
【００５２】
戸パネル１が開放途中位置にあるとき、誤って操作ノブ１０が押下げ操作され、ロック体２１がロック姿勢に切換わることが想定される。こうした状況で、戸パネル１を開閉操作すると、図１３に示すようにロックピース３４はストッパー本体２４の通過ガイド面２８に接触する。しかし、ストッパー本体２４は自重でストップ位置を保持しているだけであるので、ロックピース３４は通過ガイド面２８を押上げながらストッパー本体２４の下面をほとんど抵抗のない状態でくぐり抜ける。従って、戸パネル１が勢い良く閉止されたとしても、ロックピース３４が変形しあるいは破損するなど損傷することはない。また、通過ガイド面２８が支軸２３の側へ向かって緩やかに上り傾斜させてあるので、ロックピース３４はくさび作用を発揮しながら、ストッパー本体２４の通過ガイド面２８を円滑にくぐり抜けることができる。
【００５３】
上記の実施例では、戸パネル１を閉止位置の側に設けた一方向ストッパー２０でロック保持する場合について説明したが、一方向ストッパー２０は戸パネル１の開放位置、あるいは閉止位置と開放位置の双方に設けることができる。さらに必要があれば、戸パネル１の開放途中位置に一方向ストッパー２０を配置して、戸パネル１を開放途中位置でロック保持することができる。複数個の戸パネル１が設けてある引戸、折り戸、引違い戸にも、本発明のロック装置を適用することができる。本発明のロック装置は、アウトセット型の引戸等以外にインセット型の引戸等にも適用でき、その場合には、上記の実施例における走行レール部１５の前後いずれか一方に一方向ストッパー２０が配置してあればよい。
【００５４】
上記の実施例では、ストッパー本体２４を自重でストップ位置に下降揺動させたが、その必要はなく、キックばねや板ばねなどの付勢体を使用してストッパー本体２４をストップ位置に付勢することができる。また、上記の実施例では、垂直のストッパー面２７と水平のロックピース３４とを十文字状に交差させたが、その必要はなく、水平のストッパー面２７と垂直のロックピース３４とが十文字状に交差する形態を採ることができる。さらに、互いに傾斜するストッパー面２７とロックピース３４とがＸ字状に交差する形態を採ることができる。ストッパー本体２４は、前後揺動、あるいは斜めに揺動させてストップ位置と解除位置とに切換えることができる。必要があれば、ストッパー本体２４をスライド移動させて、ストップ位置と解除位置とに切換えることができる。
【００５５】
一方向ストッパー２０のホルダー２２は枠構造である必要はなく、少なくとも支軸２３を支持でき、ビスでストッパーレール部１７に固定できる構造であれば足りる。一方向ストッパー２０は、走行レール部１５の前後いずれか一方に位置する状態で配置してあればよい。操作体１０は、スライドノブ以外に、揺動レバーあるいは回動レバーであってもよい。操作ノブ１０は、前後の把手９のそれぞれに設けることができる。操作体１０と把手９との間に、操作体１０を位置保持するクリック機構が設けてある場合には、上記の実施例で説明したロック装置のクリック機構を省略することができる。ロック体２１はプラスチック成形品で形成することができ、必要があれば、金属材で形成したロックピース３４をインサート成形して形成することができる。
【００５６】
カム溝３６は作動溝８１と待機溝８２と主カム溝８３とでＺ字状に形成する必要はなく、作動溝８１と待機溝８２を省略して主カム溝８３のみでカム溝３６を形成することができる。その場合の主カム溝８３は、直線状、あるいは緩やかに湾曲するＳ字状に形成することができる。切換えロッド４８が押し上げ操作された場合に、ロック体２１がロック姿勢に切換わるように、カム溝３６を形成することができる。
【符号の説明】
【００５７】
１  戸パネル
３  ガイドレール
１０  操作体（操作ノブ）
１５  走行レール部
２０  一方向ストッパー
２１  ロック体
２４  ストッパー本体
２７  ストッパー面
２８  通過ガイド面
３４  ロックピース
３５  ガイドケース
３６  カム溝
４３  ガイド溝
４８  切換えロッド
５４  クリック軸
５５  クリックケース
【図１】
0005881165.tif 000002
【図２】
0005881165.tif 000003
【図３】
0005881165.tif 000004
【図４】
0005881165.tif 000005
【図５】
0005881165.tif 000006
【図６】
0005881165.tif 000007
【図７】
0005881165.tif 000008
【図８】
0005881165.tif 000009
【図９】
0005881165.tif 000010
【図１０】
0005881165.tif 000011
【図１１】
0005881165.tif 000012
【図１２】
0005881165.tif 000013
【図１３】
0005881165.tif 000014
【図１４】
0005881165.tif 000015